(57)【特許請求の範囲】
【請求項１】
複数の色相ＬＥＤが設置され、使用者の接触を感知する接触感知部を含む少なくとも一つのＬＥＤブロック；及び
前記接触感知部によって使用者の接触に従って生成される接触回数及び接触時間のうち、接触回数に基づいて色相データを生成し、及び接触時間に基づいて微細調整データを生成し、前記色相データに基づいて前記ＬＥＤブロックで表出される光の主要色相を調節し、前記主要色相が調節された状態で前記微細調整データに基づいて前記主要色相が微細に調整される光が前記ＬＥＤブロックで表出されるように調節するコントローラー；
を含むＬＥＤブロックディスプレイ装置。
【請求項２】
前記少なくとも一つのＬＥＤブロックはＬＥＤブロックモジュールに含まれることを特徴とする、請求項１に記載のＬＥＤブロックディスプレイ装置。
【請求項３】
前記ＬＥＤブロックモジュールは、２次元形態で他のＬＥＤブロックモジュールと結合されることを特徴とする、請求項２に記載のＬＥＤブロックディスプレイ装置。
【請求項４】
前記ＬＥＤブロックモジュールは、３次元形態で他のＬＥＤブロックモジュールと結合されることを特徴とする、請求項２に記載のＬＥＤブロックディスプレイ装置。
【請求項５】
音響送出部をさらに含み、前記コントローラーは、色相が調節された光が前記ＬＥＤブロックで表出されるように調節すると同時に、前記音響送出部が所定の音響を送出するように制御することを特徴とする、請求項１記載のＬＥＤブロックディスプレイ装置。
【発明の詳細な説明】
【技術分野】
【０００１】
本発明は、ＬＥＤが設置された少なくとも一つのＬＥＤブロックを含み、使用者の接触に従ってＬＥＤブロックで表出される光の色相が調節されるＬＥＤブロックディスプレイ装置に関する。
【背景技術】
【０００２】
発光ダイオード（Ｌｉｇｈｔ  Ｅｍｉｔｔｉｎｇ  Ｄｉｏｄｅ、ＬＥＤ）は、電子と正孔の結合による発光現象を用いて光を発生させる半導体素子である。ＬＥＤのチップ材料としては、ＧａＮ、ＧａＡｓ、ＧａＰ、ＧａＡｓＰ、ＧａＡｌＡｓ、ＳｉＣ、ＩｎＰ、ＩｎＧａＰなどの化合物半導体が使用される。ＬＥＤは、高いエネルギー効率、低い動作電圧、小型、長寿命などの長所を有する。
【発明の概要】
【発明が解決しようとする課題】
【０００３】
本発明が解決しようとする技術的課題は、使用者の接触に従って表出される光の色相が調節される少なくとも一つのＬＥＤブロックを含むＬＥＤブロックディスプレイ装置を提供することにある。
【課題を解決するための手段】
【０００４】
本発明の第１の側面によると、複数の色相のＬＥＤが設置され、使用者の接触を感知する接触感知部を含む少なくとも一つのＬＥＤブロックと、使用者から微細調整データを受ける色相調節キーと、前記接触感知部によって使用者の接触に従って生成される接触データに相応する色相データに基づいて前記ＬＥＤブロックで表出される光の主要色相を調節し、前記主要色相が調節された状態で前記微細調整データに基づいて前記の主要色相が微細に調整される光が前記ＬＥＤブロックで表出されるように調節するコントローラーとを含むＬＥＤブロックディスプレイ装置を提供することができる。
【０００５】
本発明の第２の側面によると、複数の色相のＬＥＤが設置され、使用者の接触を感知する接触感知部を含む少なくとも一つのＬＥＤブロックと、前記接触感知部によって使用者の接触に従って生成される接触データに基づいて色相データ及び微細調整データを生成し、前記色相データに基づいて前記ＬＥＤブロックで表出される光の主要色相を調節し、前記主要色相が調節された状態で前記微細調整データに基づいて前記主要色相が微細に調整される光が前記ＬＥＤブロックで表出されるように調節するコントローラーとを含むＬＥＤブロックディスプレイ装置を提供することができる。
【０００６】
望ましい実施例において、前記少なくとも一つのＬＥＤブロックはＬＥＤブロックモジュールに含まれることを特徴とする。また、前記ＬＥＤブロックモジュールは、２次元形態で他のＬＥＤブロックモジュールと結合されることを特徴とする。また、前記ＬＥＤブロックモジュールは、３次元形態で他のＬＥＤブロックモジュールと結合されることを特徴とする。また、ＬＥＤブロックディスプレイ装置はメモリをさらに含み、前記メモリに前記色相データが格納されることを特徴とする。また、前記色相データは、外部に伝達したり、外部から受けることができ、修正又は編集可能であることを特徴とする。また、ＬＥＤブロックディスプレイ装置は音響送出部をさらに含み、前記コントローラーは、色相が調節された光が前記ＬＥＤブロックで表出されるように調節すると同時に、前記音響送出部が所定の音響を送出するように制御することを特徴とする。また、前記接触データは接触回数及び接触時間を含むことを特徴とする。また、前記接触データは接触回数及び接触時間を含むことを特徴とする。また、前記色相データは、前記接触回数に基づいて生成され、前記微細調整データは、前記接触時間に基づいて生成されることを特徴とするＬＥＤブロックディスプレイ装置を提供することができる。
【発明の効果】
【０００７】
本発明によると、使用者の接触に従って表出される光の色相が調節されるＬＥＤブロックを含むＬＥＤブロックディスプレイ装置を提供することができる。
【図面の簡単な説明】
【０００８】
【図１】本発明に係るＬＥＤブロックディスプレイ装置の外観を例示的に示した斜視図である。
【図２】本発明に係るＬＥＤブロックモジュールを例示的に示した斜視図及び側面図である。
【図３】本発明に係る２次元形態で結合される各ブロックモジュールを例示的に示した斜視図である。
【図４】本発明に係る３次元形態で結合される各ブロックモジュールを例示的に示した斜視図である。
【図５】本発明に係るＬＥＤブロックディスプレイ装置の外観を例示的に示した他の斜視図である。
【図６】本発明に係るコントローラー及びＬＥＤブロックモジュール一体型のＬＥＤブロックディスプレイ装置の機能を概略的に示したブロック図である。
【図７】本発明に係るコントローラー及びＬＥＤブロックモジュール分離型のＬＥＤブロックディスプレイ装置の機能を概略的に示したブロック図である。
【図８】本発明に係るコントローラー及びＬＥＤブロックモジュール分離型のＬＥＤブロックディスプレイ装置の機能を概略的に示した他のブロック図である。
【図９】本発明に係るＬＥＤブロックモジュールの配置形態を概略的に示したブロック図である。
【発明を実施するための形態】
【０００９】
以下、本発明の具体的な実施例を図面を参照して詳細に説明する。
【００１０】
図１は、本発明に係るＬＥＤブロックディスプレイ装置の外観を例示的に示した斜視図である。図１を参照すると、本発明に係るＬＥＤブロックディスプレイ装置１００は、少なくとも一つのＬＥＤブロック１１０、コントローラー（図示せず）、操作部１４０、表示部１５０、バッテリー（図示せず）、及び音響送出部（図示せず）を含むことができる。
【００１１】
ＬＥＤブロック１１０には、Ｒｅｄ  ＬＥＤ、Ｇｒｅｅｎ  ＬＥＤ及びＢｌｕｅ  ＬＥＤのうち少なくとも一つを設置することができる。また、ＬＥＤブロック１１０には、Ｒｅｄ  ＬＥＤ、Ｇｒｅｅｎ  ＬＥＤ、Ｂｌｕｅ  ＬＥＤだけでなく、例えば、Ｙｅｌｌｏｗ、Ａｍｂｅｒ、Ｖｉｏｌｅｔなどの多様な色相の光を表出するＬＥＤを多様な組み合わせで設置することができる。また、ＬＥＤブロック１１０には、使用者の接触を感知する接触感知部（図示せず）を設置する。複数のＬＥＤブロック１１０は、図２に例示的に示したように、ＬＥＤブロックモジュール１２０をなすように配列することができる。ＬＥＤブロックモジュール１２０は、図３に例示的に示したように、２次元形態で他のブロックモジュール１２０と結合したり、図４に例示的に示したように、３次元形態で他のブロックモジュール１２０と結合することができる。
【００１２】
コントローラーは、 ＬＥＤブロック１１０に設置されるＬＥＤの点灯を制御することによって表出される光の色相を調節する。操作部１４０は、使用者の操作信号をコントローラーに伝達し、望ましくは、複数のボタン及びダイヤルを含むことができる。表示部１５０は、操作情報、表示状態、案内情報などを表示することができる。操作部１４０及び表示部１５０のうち少なくとも一つは省略可能である。バッテリーは、本発明に係るＬＥＤブロックディスプレイ装置に電力を印加する部分であって、外部から電力が印加される場合は省略可能である。音響送出部は、ＬＥＤブロック１１０に表出される光の色相調節に相応して所定の音響を外部に送出する。図１に示したように、コントローラー、操作部１４０、表示部１５０、バッテリー及び音響送出部のうち少なくとも一つは、少なくとも一つのＬＥＤブロック１１０又は少なくとも一つのＬＥＤブロックモジュール１２０と一体型に製作することができる。併せて、図５に示したように、コントローラー、操作部１４０、表示部１５０、バッテリー１６０及び音響送出部のうち少なくとも一つは、少なくとも一つのＬＥＤブロック１１０又は少なくとも一つのＬＥＤブロックモジュール１２０と分離可能な形態に製作することができる。
【００１３】
図６は、本発明に係るコントローラー及びＬＥＤブロックモジュール一体型のＬＥＤブロックディスプレイ装置の機能を概略的に示したブロック図で、図７は、本発明に係るコントローラー及びＬＥＤブロックモジュール分離型のＬＥＤブロックディスプレイ装置の機能を概略的に示したブロック図である。図６及び図７を参照すると、コントローラー１３０は、個別ＬＥＤブロック１１０に相応して個別的に設置することができ、また 個別ＬＥＤブロックモジュール１２０に相応して個別的に設置することができ、また 複数のＬＥＤブロックモジュール１２０に相応して個別的に設置することができ、また 複数のＬＥＤブロック１１０全体に相応して単独で設置することができる。コントローラー１３０は、ＬＥＤブロック１１０から使用者の接触に従って接触感知部が感知した接触データを受けることができる。コントローラー１３０は、ＬＥＤブロック１１０から入力される接触データに基づいて生成される色相データを用いて定電流ＩＣ１１２を経由してＬＥＤブロック１１０で表出される光の色相を調節することができる。図面では、定電流ＩＣ１１２がスタティック方式で点灯する場合を示しているが、これに限定されることはなく、特に、ダイナミック方式で点灯することもできる。コントローラー１３０は、色相が調節された光がＬＥＤブロック１１０で表出されるように調節すると同時に、音響送出部が所定の音響を外部に送出するように制御することができる。コントローラー１３０は、接触データに基づいて主要色相を調節した状態で、操作部１４０に含まれる色相調節キー１４２から入力される微細調整データに基づいて主要色相が微細に調整される光がＬＥＤブロック１１０で表出されるように調節することができる。また、コントローラー１３０は、使用者によるＬＥＤブロック１１０の接触に従う接触回数に基づいて主要色相を調節し、接触時間に基づいて主要色相を微細に調節することができる。また、コントローラー１３０は、主要色相が微細に調整された光がＬＥＤブロック１１０で表出されるように調節すると同時に、音響送出部が所定の音響を外部に送出するように制御することができる。本発明に係るＬＥＤブロックディスプレイ装置は、メモリ１３２をさらに含むことができる。メモリ１３２は着脱式メモリカードであり得る。メモリ１３２は、コントローラー１３０に内蔵することができる。ＬＥＤブロック１１０に表出された光に相応する色相データはメモリ１３２に格納することができる。メモリ１３２に格納される色相データは、修正又は編集が可能であり、コントローラー１３０によって読み取って使用することができる。色相データは、通信装置（図示せず）を通して外部から受け取ったり、外部に伝達することができる。コントローラー１３０が複数のＬＥＤブロック１１０を制御する場合、色相データは、特定のＬＥＤブロック１１０の位置に関するブロック座標データと連結して送受信することができる。
【００１４】
図８は、本発明に係るコントローラー及びＬＥＤブロックモジュール分離型のＬＥＤブロックディスプレイ装置の機能を概略的に示した他のブロック図である。図８を参照すると、ＬＥＤブロックモジュールセクション別にＬＥＤブロックモジュール１２０を制御するサブコントローラー１３４及びメモリ１３７を別途に設置し、全体のＬＥＤブロックモジュールセクションを制御するコントローラーセクションにメーンコントローラー１３６、メモリ１３８及び色相調節キー１４２を設置することができる。
【００１５】
サブコントローラー１３４は、ＬＥＤブロック１１０から使用者の接触に従って接触感知部が感知した接触データを受け取ることができる。サブコントローラー１３４は、ＬＥＤブロック１１０から入力される接触データに基づいて生成される色相データを用いて定電流ＩＣ１１２を経由してメーンコントローラー１３６から入力されるディスプレイデータに従ってＬＥＤブロック１１０で表出される光の色相を調節することができる。サブコントローラー１３４は、色相が調節された光がＬＥＤブロック１１０で表出されるように調節すると同時に、音響送出部が所定の音響を外部に送出するように制御することができる。サブコントローラー１３４は、接触データに基づいて主要色相を調節した状態で、コントローラーセクションに含まれる色相調節キー１４２から入力される微細調整データに基づいて主要色相が微細に調整される光がＬＥＤブロック１１０で表出されるように調節することができる。また、サブコントローラー１３４は、使用者によるＬＥＤブロック１１０の接触に従う接触回数に基づいて主要色相を調節し、接触時間に基づいて主要色相を微細に調節することができる。また、サブコントローラー１３４は、主要色相が微細に調整された光がＬＥＤブロック１１０で表出されるように調節すると同時に、音響送出部が所定の音響を外部に送出するように制御することができる。メモリ１３７は、着脱式メモリカードであり得る。メモリ１３７は、サブコントローラー１３４に内蔵することができる。ＬＥＤブロック１１０に表出された光に相応するディスプレイデータ及び／又は色相データはメモリ１３７に格納することができる。メモリ１３７に格納されるディスプレイデータ及び／又は色相データは、修正又は編集が可能であり、サブコントローラー１３４によって読み取って使用することができる。色相データは、ＬＥＤブロックモジュール１２０の連結関係に関するリンクデータと共に、サブコントローラー１３４によってコントローラーセクションのメーンコントローラー１３６に伝達することができる。
【００１６】
メーンコントローラー１３６は、それぞれのＬＥＤブロックモジュールセクション別にディスプレイされる内容及び形式などを含むディスプレイデータを各ＬＥＤブロックモジュールセクション別サブコントローラー１３４に伝送する。ディスプレイデータは、サブコントローラー１３４がＬＥＤブロック１１０から入力される接触データに基づいて生成する色相データが含まれないように構成することができる。また、ディスプレイデータは、色相調節キー１４２から入力される微細調整データをさらに含むことができる。メーンコントローラー１３６は、それぞれのＬＥＤブロックモジュール別ディスプレイデータであるモジュールディスプレイデータと特定のＬＥＤブロックモジュール１２０の位置に関するブロックモジュール座標データとを連結してメモリ１３８に格納したり、このデータをメモリ１３８から読み出すことができる。また、メーンコントローラー１３６は、少なくとも一つのＬＥＤブロックを含むＬＥＤブロックディスプレイ装置で表出されたコンテンツであるディスプレイデータをメモリ１３８に格納することができる。また、メーンコントローラー１３６は、少なくとも一つのＬＥＤブロックを含むＬＥＤブロックディスプレイ装置で表出されるディスプレイデータを修正又は編集する機能を提供することができる。ディスプレイデータに対する修正又は編集機能は、ディスプレイデータに多様なイベント効果を付加する機能を含むことができる。本発明に係るＬＥＤブロックディスプレイ装置で表出又は生成されるコンテンツであるディスプレイデータは、通信装置（図示せず）を通して外部から受け取ったり、外部に伝達することができる。
【００１７】
図９は、本発明に係るＬＥＤブロックモジュールの配置形態を概略的に示したブロック図である。図９を参照すると、実際の各ＬＥＤブロックモジュールが四角形の形態で配列されない場合、コントローラーは、仮想のＬＥＤブロックモジュールを追加することによって、実際の各ＬＥＤブロックモジュールに対する正確な位置を識別することができる。本実施例において、実際の各ＬＥＤブロックモジュールは双方向に通信できるように構成され、このような通信機能を通して、それぞれの実際の各ＬＥＤブロックモジュールは自分の識別情報をコントローラーに伝達することができる。コントローラーは、それぞれの実際のＬＥＤブロックモジュールに相応する識別情報に基づいて仮想の各ＬＥＤブロックモジュールを追加することによって、仮想の四角形の形態で実際のＬＥＤブロックモジュールと仮想のＬＥＤブロックモジュールを配置して区分し、それぞれのＬＥＤブロックモジュールに対する正確な位置を識別する。
【産業上の利用可能性】
【００１８】
本発明によると、使用者の接触に従って表出される光の色相が調節されるものであり、複数の色相ＬＥＤが設置され、使用者の接触を感知する接触感知部を含む少なくとも一つのＬＥＤブロックを提供することができ、ＬＥＤブロックディスプレイ装置は、前記接触感知部によって使用者の接触に従って生成される接触データに相応する色相データに基づいて前記ＬＥＤブロックで表出される光の色相を調節することができる。
【図１】
0005607838.tif 000002
【図２】
0005607838.tif 000003
【図３】
0005607838.tif 000004
【図４】
0005607838.tif 000005
【図５】
0005607838.tif 000006
【図６】
0005607838.tif 000007
【図７】
0005607838.tif 000008
【図８】
0005607838.tif 000009
【図９】
0005607838.tif 000010